(57)【要約】      （修正有）【課題】  油と基礎土壌との接触を隔て、油貯蔵容器および油の重力荷重を負担し、油貯蔵容器の側圧力の動態バランスを図る、水中における適切な油貯蔵方法およびその装置を提供。【解決手段】  油貯蔵方法は以下の手順を含む。ａ）貯水池３０を構築するための壁面２０を基礎土壌１０に形成。ｂ）油貯蔵容器４０を貯水池３０内に設け、油貯蔵容器４０の底部が貯水池３０と流通または非流通の状態を呈するようにする。ｃ）貯水池３０内に水が油貯蔵容器４０の周囲を取り囲むようにし、油製品の注入に基づき水位を自動調節する。ｄ）油製品を油貯蔵容器４０内に注入し、注入する油の量が油貯蔵容器４０の容積を超えないようにし、貯水池３０内の水によって油製品と基礎土壌１０との接触を隔て油貯蔵容器４０およびその油製品の重力荷重を負担するため、油製品の比重が水より小さいという特性を運用し、水を利用して油貯蔵容器４０の側圧力の動態バランスを図る。【選択図】  図１
2007076725.tif 000002
【特許請求の範囲】
【請求項１】
ａ）貯水池を構築するための壁面を基礎土壌の周囲に形成する手順と、
ｂ）予め定められた形状および容積の油貯蔵容器を貯水池内に設け、前記油貯蔵容器の底部が貯水池と流通または非流通のいずれか一つの状態を呈するようにする手順と、
ｃ）前記貯水池内に予め定められた容量の水を保持し、水が前記油貯蔵容器の周囲を取り囲むようにし、且つ油製品の注入または抽出に基づき水位を自動調節する手順と、
ｄ）保管しようとする油製品を油貯蔵容器内に注入し、且つ注入保管する油の量が前記油貯蔵容器の内部容積を超えないようにし、前記貯水池内の水によって油製品と前記基礎土壌との接触を隔て油貯蔵容器およびその油製品の重力荷重を負担するため、油製品の比重が水より小さいという物理特性を運用し、その水によって、油貯蔵容器の側圧力の動態バランスを図る手順と、
を含むことを特徴とする水中における適切な油貯蔵方法。
【請求項２】
前記貯水池の周辺に予備貯水タンクを設け、連通管および自動給水装置により貯水池の水位を調整することを特徴とする請求項1記載の水中における適切な油貯蔵方法。
【請求項３】
前記油貯蔵容器には油製品の入口／出口が設けられ、且つその底面は前記貯水池の底部壁に直接設けられ、貯水池底部または壁面底部に流通口を設けることを特徴とする請求項1記載の水中における適切な油貯蔵方法。
【請求項４】
前記油貯蔵容器には油製品の入口／出口が設けられ、且つその底面は流通口を有さず、ベース枠を前記貯水池の底部壁に設けることにより、底部に水の流通路を形成することを特徴とする請求項1記載の水中における適切な油貯蔵方法。
【請求項５】
基礎土壌の周囲に壁面を形成し、予め定められた容量の水が充填され充填る貯水池と、
予め定められた形状および容積に基づき貯水池内に設置され、その上に油製品の入口／出口が設けられ、底部が貯水池との流通または非流通のいずれか一つの形態を呈し、且つ注入の油量が油貯蔵容器の内部容積を超えないようにした油貯蔵容器と、
貯水池の周囲に設けられ、連通管および自動給水装置によって前記貯水池の水位を調節する予備貯水タンクと、
を備えることを特徴とする水中における適切な油貯蔵装置。
【請求項６】
ａ）貯水池を構築するための壁面を基礎土壌の周囲に形成する手順と、
ｂ）予め定められた形状および容積の油貯蔵容器を貯水池内に設け、前記油貯蔵容器の底部が貯水池と非流通の状態を呈するようにし、且つ油貯蔵容器は負圧式または正圧式のいずれか一つのタイプより選択して構成される手順と、
ｃ）前記貯水池内に予め定められた容量の水を保持し、水が前記油貯蔵容器の周囲を取り囲むようにし、且つ水位が油貯蔵容器を超えてカバーするようにする手順と、
ｄ）負圧式油貯蔵容器を使用する場合、油貯蔵容器が破損し、水が容器内に浸入すると、水の比重が油より大きくなり、浸入した水が油貯蔵容器のタンク底に集中し、より低いところの集水タンクに向かって集中し、外部に設けられた検知器によって集水タンクに水があることを容易に検知して修正保護を行い、正圧式油貯蔵容器を使用する場合、破損や、タンク内に漏出した油が水面に浮かぶ事態等をより容易に検知し、運用する油製品の比重が水よりも小さいという物理特性を利用し、前記貯水池内の水により油製品と基礎土壌との接触を隔て、水によって油貯蔵容器および油製品の重力荷重を負担する手順と、
を含むことを特徴とする水中における適切な油貯蔵方法。
【請求項７】
基礎土壌の周囲に壁面を形成し、予め定められた容量の水を充填するために用いられる貯水池であって、且つカバー部が設けられる貯水池と、
負圧式または正圧式のいずれか一つの油貯蔵容器で構成され、且つ容器全体が貯水池内に没入され、カバー部に至る油製品の入口／出口が設けられ、底部は貯水池と非流通状態を呈する油貯蔵容器と、
貯水池の底部壁に設けられ、前記油貯蔵容器を固定するために用いられるベースユニットと、
を備えることを特徴とする水中における適切な油貯蔵装置。
【請求項８】
前記油貯蔵容器はある角度に傾斜し、その角度に対応する傾斜を呈するベースユニットに固定され、且つより低く位置する底面に集水タンクが設けられ、前記集水タンクは外部の検知器と連接することを特徴とする請求項７記載の水中における適切な油貯蔵装置。
【請求項９】
前記油貯蔵容器には圧力弁を有し貯水池外部に至る通気管が設けられ、且つ前記油貯蔵容器の油製品の入口／出口は送入管および送出管を有することを特徴とする請求項７記載の水中における適切な油貯蔵装置。
【発明の詳細な説明】
【技術分野】
【０００１】
本発明は水中における適切な油貯蔵方法およびその装置に関する。特に、貯水池の中に油貯蔵容器を適切に配置し、油の比重が水よりも小さい原理を利用し、水によって油と基礎土壌との接触を隔て、また油貯蔵容器と油の重力荷重を負担し、さらに水を利用し、油貯蔵容器の側圧力の動態バランスを図る油貯蔵方法およびその装置に関する。
【背景技術】
【０００２】
伝統的な油貯蔵タンクは地上式油貯蔵タンクと地下式油貯蔵タンクに分かれる。そのうち、地上式油貯蔵タンクは必ず堅固なベースに設けられなければならず、巨大な容量の油の重力荷重の負担と、円柱形で鋼製の油貯蔵タンクの重量が安定し、且つ変形しないように密閉可能な基礎構造が築かれている。伝統的な油貯蔵タンクは鋼板により貯蔵重量の側圧力に耐え、その容量は一定の極限を有し、且つ容量の増大に対しコストも正比例して大幅に増加する。安全性の考慮から、貯蔵タンクの周囲には油貯蔵タンクが破損した場合に漏れ出た油製品を受け容れるための、すべての油製品を収容できる容量の防護壁で囲わなければならないが、もしも地震などの天災や人為的破壊が発生した場合、油製品は辺り一面に流出し、収拾不可能な大災難をもたらす。六軽（台湾プラスチック石油化学工業株式会社「Formosa Petrochemical Corporation」により、雲林県麥寮地区に建設された第６ナフサ分解プロジェクトに基づくプラント施設）を例にとると、原油貯蔵タンクは１３万立方メートルの容量（目下、アジア太平洋地区における最大の油貯蔵タンク）である。油貯蔵タンクの直径は約８６メートル、高さは約２４メートルで、鋼板の強度設計は２４メートル深さの油貯蔵圧力に耐えうるものでなければならず、またマグニチュード６以上の耐震係数でなければならない。ベースの基礎建築期間を含まない油貯蔵タンクの施工スケジュールは二年を要し、台湾ドルで約２億元以上もの費用を要する。風雨に見舞われ、太陽に照らされる自然環境の中において、定期的なメンテナンス、錆の除去、さらに錆止めペンキの塗布は必須であり、浸出が起こった場合には油貯蔵を空にし、きれいに洗浄した後、天然ガスを取り除き、そこでやっと溶接を行うことができる。伝統的な油貯蔵タンクの建築費用は高額にのぼり、メンテナンス、修理費用も相当な額である。
【０００３】
次に、地下式油貯蔵タンクは地下に埋設され、油貯蔵タンクは腐食防止を施すように覆われなければならず、するとコストが高額になり、探知が難しく、修理補修ができない場合、環境土壌の地下水汚染を容易にもたらす。
本発明者は伝統的な油貯蔵タンクを鑑みた上で、上記に掲げた問題点を解決するためにその欠点を明らかにし、積極的に研究改良を重ねた。
【発明の開示】
【発明が解決しようとする課題】
【０００４】
ゆえに、本発明の目的は、水中における適切な油貯蔵方法およびその装置を提供することにあり、油貯蔵容器を貯水地に適切に配置し、油の比重が水よりも小さい原理を利用し、水によって油と基礎土壌との接触を隔て、また油貯蔵容器および油の重力荷重を負担し、水を利用して油貯蔵容器の側圧力の動態バランスを図る。このほか、予備貯水タンクの水によって貯水池が一定の水位を保持するように調整し、油貯蔵容器の圧力を大幅に低減することが可能である。
【０００５】
本発明のさらなる目的は、水中における適切な油貯蔵方法およびその装置であり、油貯蔵容器を適切に貯水池中に配置し、環境土壌、地下水を汚染しないように、また、油貯蔵容器からたとえ油が浸出しても、浸出した油が水面に浮かぶことがないようにするため、水によって油と基礎土壌を隔てる。これより、計器を用いて探測をする必要がなく、目視によって知り得ることが可能となる。
【課題を解決するための手段】
【０００６】
上述の目的を達成するため、本発明の水中における適切な油貯蔵方法は以下の手順を含む。
ａ）貯水池を構築するための壁面を基礎土壌の周囲に形成する。
ｂ）予め定められた形状および容積の油貯蔵容器を貯水池内に設け、前記油貯蔵容器の底部が貯水池との流通または非流通のいずれか一つの状態を呈するようにする。
【０００７】
ｃ）上述の貯水池内に予め定められた容量の水を保持し、水が前記油貯蔵容器の周囲を取り囲むようにし、且つ油製品の注入または抽出に基づき、水位を自動調節する。
ｄ）保管しようとする油製品を油貯蔵容器内に注入し、且つ注入保管する油の量が前記油貯蔵容器の内部容積を超えないようにし、前記貯水池内の水によって油製品と前記基礎土壌との接触を隔て油貯蔵容器およびその油製品の重力荷重を負担するため、油製品の比重が水より小さいという物理特性を運用し、その水を利用して油貯蔵容器の側圧力の動態バランスを図る。
【発明を実施するための最良の形態】
【０００８】
まず、図１は本発明の一実施例による水中における適切な油貯蔵方法の実施手順を明らかに示すブロック図である。さらに、図２Ａは本発明の一実施例による水中における適切な油貯蔵方法を示す断面図である。本発明の一実施例による水中における適切な油貯蔵方法およびその装置は、以下の実施手順および設備を含む。
ａ）基礎土壌１０の周囲に、貯水池３０を構築するための壁面２０を形成する。ここで基礎土壌１０と称するものは一般にベースが下方に向かって掘削された後、表面形態を形成し、基礎土壌１０の保護層および隔離層となるため、基礎土壌１０の周囲には鉄筋コンクリートまたはモルタルで形成される連続壁等を形成する。
【０００９】
ｂ）次に、予め定められた形状および容積の油貯蔵容器４０を貯水池３０内に設け、前記油貯蔵容器４０は金属板を含み、鉄筋コンクリート、プラスチック等の材質で構成される。本実施例では前記油貯蔵容器４０は上方に油製品入／出口４１が設けられ、且つその底面は直接前記貯水池の底部壁３１に設けられ、貯水池の底または壁底に少なくとも１つの流通口４２をが設けられ、油貯蔵容器４０内部と貯水池３０との間が流通状態を呈することができるようにする。これは本発明のより好ましい実施例であるが、本発明はこれだけに限定されるものではなく、前記油貯蔵容器４０内部はさらに貯水池３０と非流通状態を呈しており、これについては、あらためて詳細な説明をする。
【００１０】
ｃ）上述の貯水池３０内に予め定められた容量の水ｗを保持する。ここで「水」と示すものは淡水、海水または工業用水等を指し、貯水池３０に壁面２０を設け、注入する水ｗは基本的にほとんど基礎土壌１０へ滲み込まず、ゆえに消耗が少ない。ここでの「予め定められた容量を保持する」水ｗとは、その水位が油貯蔵タンク４０の様態およびその内部の油体積によって随意調整が行われる水を指し、また、貯水池３０には水位調節および自動給水装置を設けるが、これについてはあらためて後述する。
【００１１】
ｄ）保管しようとする油製品Ｏを前記油貯蔵容器４０内に注入する。ここで指す油製品Ｏには石油原油およびその分解油製品、鉱物油、動物油、化学品等、比重が１より小さい液体物品を含む。さらに、注入する油製品ｗの油量は前記油貯蔵容器４０の内部容積より大きくならないことを原則とし、本実施例において、該油貯蔵容器４０と貯水池３０との間に流通口４２を有することにより、注入する油の量が該油貯蔵容器４０の内部容積よりも大きくなるようであれば、前記流通口４２から流出して貯水池３０内に浸入し、最後には水面上に浮かび上がる。
【００１２】
図２Ｂ、図２Ｃに示すように、油製品Ｏが油製品入／出口４１より油貯蔵容器４０内部に注入される時、油製品Ｏの比重は一般に０．９前後であるため、水ｗの比重１よりも小さくなる。よって、油製品Ｏは水ｗの上方に浮き、油貯蔵容器４０内部の水ｗは油製品Ｏの増加に従い、徐々に流通口４２から流出する。貯水池３０の容積は一定であるため、油製品ｗの油量が増加し、水ｗの貯蔵空間が減少すると、水位は上昇する。こうして余剰な水ｗを先に保管し、再利用することができる。本発明の実施可能な例として、貯水池３０の周辺に予備貯水タンク５０を設け、該予備貯水タンク５０にはタンク面高さに近いところに前記貯水池３０と連通状態を呈する連通管５１を設け、前記貯水池３０の水位が上限まで到達した時、水は前記連通管５１から溢れ出し、予備貯水タンク５０に進入して保管され、再利用に用いられる。
【００１３】
図２Ｄ〜図２Ｆは油貯蔵容器４０内の油製品Ｏを抽出する状態を示す模式図である。油製品Ｏが徐々に減少する時、油貯蔵容器４０内部の水ｗの水位は徐々に上昇し、浮力を利用して油製品Ｏを上方へ押し動かす。油貯蔵容器４０の外部は貯水池３０の水ｗに設置され、容器に流入し次第に下降する。このとき、予備貯水タンク５０が保管した水は前記貯水池３０内に導入される。前記予備貯水タンク５０には自動給水装置５２を設けることができる。該自動給水装置５２は注入ポンプ、水位検知器等の従来の部材であり、貯水池３０内の水位が下限に到達した時、自動で予備貯水タンク５０の水を前記貯水池３０内に注入し、水の効能を利用して油貯蔵容器４０の重力を支え、同時に油貯蔵容器４０の側圧力の動態バランスを図る。
【００１４】
上記の実施例による油貯蔵方法および設備は油製品の比重が水よりも小さいという物理特性を運用したもので、前記貯水池３０内の水ｗによって油製品Ｏと前記基礎土壌との接触を隔て、さらに油貯蔵容器４０およびその内部油製品Ｏの重力荷重を負担し、その水を利用して前記油貯蔵容器４０の側圧力の動態バランスを図るものである。
ここで、具体的なデータにより説明する。例えば、前記貯水池３０内に設けた油貯蔵容器４０が高さ２４メートルの時、比重が０．９の油製品ｗで一杯に満たされると、油貯蔵容器内の油製品の液体面高さは貯水池３０の水面より約２．４メートル高くなる。よって、貯水池３０の水ｗは９０％の圧力荷重を受けて相殺されるため、油貯蔵容器４０は１０％の圧力を受けるのみとなり、よって油貯蔵容器４０の材料強度の設計は深さ２４メートルの油貯蔵圧力ではなく、深さ２．４メートルの油貯蔵圧力を考慮するだけでよい。これに準じ、保存比重が０．９９の油製品Ｏの時、貯水池３０の水ｗは９９％の圧力を受けて相殺され、油貯蔵容器４０は約１％の圧力を受けるのみとなる。水中における適切な油貯蔵設備の配置は、高強度の厚さの鋼板によって油貯蔵容器（タンク）を製造するという理念に依らなければならない。例えば、鉄筋コンクリートを材料として、前述の六軽と同様の容量である１３万立方メートル（高さ２４メートル×直径８６メートル）の油貯蔵タンクを構築する場合、高さ２４メートル、長さ、幅をそれぞれ７６メートルとしさえすればよい（１０メートル×１０メートルのベース面積を節約できる）。よって、貯水池３０内に鉄筋、フレーム枠板、モルタル等、水性コンクリートを配置しさえすれば、完成である。もしもプラスチック板に依る場合、ステンレス薄板を構築すればより速度が速くなり、コストもさらに低くなる。
【００１５】
油貯蔵容器４０を貯水池３０の中に適切に配置することにより、地面下に防護壁を構築する必要はなくなり、思いがけない地震などの天災または人為的破壊や、油製品Ｏが辺り一面に流出し、工場エリアに被害が及ぶこと等がなくなる。さらに油貯蔵容器４０を地下に適切に配置すれば、人為的破壊を容易に受けなくなり、また、避雷針を装設する必要もなく、且つ油貯蔵設備の緑化、もしくは再度の使用が可能となる。また、油貯蔵設備が地下に構築されるため、環境や気候の影響を受けるのはごくわずかで、油製品の気化を低減することができ、地震時、貯水池３０の水ｗが地震の震度を相殺する効能があり、地震による損害を減少することができる。このほか、油貯蔵容器の圧力が低いため、全体的な設備の建造費を下げることが可能である。
【００１６】
前出の本発明の一実施例による水中における適切な油貯蔵方法は油貯蔵の容器を用いるものであり、もう１つの可能な実施例を図３Ａ〜図３Ｆに示す。その構造は一つ前の実施例と同じである。同一の図面符号によって表示するが、本実施例では油貯蔵容器４０ａが油製品入／出口４１を有し、底部には流通口を有さず、複数のベース枠４３により前記貯水池３０の底部壁３１に設けられ、油貯蔵容器４０ａの底部に水流通路が形成される。但し、内部油製品と貯水池３０は非流通状態を呈する。そこで、油製品Ｏが貯蔵容器４０ａに注入される時、前出の方法と自動給水装置５２を利用し、同時に水ｗを貯水池３０に注入し、前記油貯蔵容器４０ａ内の油製品Ｏの液面位置と貯水池３０の水位は同時に上昇する。これは図３Ａ〜図３Ｃに示す。また、図３Ｄ〜図３Ｆに示すように、油製品Ｏが油貯蔵容器４０ａに抽出される時、同時に水ｗを貯水池３０に抽出し、油貯蔵容器４０ａ内の油製品Ｏの液面位置と貯水池３０の水位は同時に下降し、貯水池３０の水位によって油貯蔵容器の圧力の動態バランスを図る。
【００１７】
本発明は前出の大型油貯蔵容器に運用できる他、小型油貯蔵タンクにも運用可能である。多くのガソリンスタンドにおける油貯蔵タンク（容器）がそれにあたる。図４は本発明の別の実施例を示す図であり、この実施例による構造は一つ前の実施例と同じであり、同一の図面符号によって表示する。本実施例においては、油貯蔵容器４０ｂは底部が非流通状態を呈し、さらに貯水池上方のカバー２１に至る油製品入／出口４１が設けられ、送入管４１ａおよび送出管４１ｂを備えて構成される。このほか圧力弁を有する通気管４１ｃが設けられ、貯水池３０の外部まで至る。実施手順ａ）およびｂ）は前述の実施例と同一であるため、ここでは記述しない。実施手順ｃ）は概ね前述の実施例と同じだが、異なるのは前記貯水池３０の水位が前記油貯蔵容器４０ｂを超えるという点であり、さらに該油貯蔵容器４０ｂは始めから終わりまで該貯水池３０の水ｗ内に入り込まないということである。最後の実施手順ｄ）もまた、殆ど前述の実施例と同じである。
【００１８】
装置上において、本実施例では貯水池３０にカバー２１を設け、且つ前記油貯蔵容器４０ｂはベースユニット４３’に固定され、該ベースユニット４３’は単一の大きなベースユニットとして、または図４で示した複数のベースを利用して組成したベースユニット４３’としてなる。その目的および要求は、油貯蔵容器４０ａを貯水池３０の中に安定して配置することにあり、これより浮かんだり、揺れ動いたりすることがなくなる。
【００１９】
さらに一歩進んで、前記油貯蔵容器４０ｂのより好ましい設置の形態は、傾斜角度の固定を前記ベースユニット４３’に相対して傾斜するようにしたもので、且つより低く位置する底面にさらに集水タンク４４を設け、該集水タンク４４を外部の検知器４５と連接する。
また、前記油貯蔵容器４０ｂは負圧式および正圧式の二種を設ける。そのうち、負圧式の油貯蔵容器が破損したり、水が容器内に浸入すると、水ｗの比重が油Ｏより大きくなり、浸入した水は油貯蔵容器４０ｂのタンク底に集中する。そしてより低いところの集水タンク４４に向かって集中する。この時、外部の検知器４５によって集水タンクに水があることを容易に検知し、修正保護を行う。別の正圧式油貯蔵容器４０ｂは破損や、タンク内に漏出した油が水面に浮かぶなどといったことを容易に検知するに至る。故に、本実施例はとりわけガソリンスタンドの油貯蔵装置として適用されている。貯水池の水ｗを利用し、外部に漏れた油製品Ｏと基礎土壌との接触を隔てるために利用するだけではなく、環境土壌、地下水を汚染しないようにし、さらに水ｗによって油貯蔵容器４０ｂおよび内部油製品Ｏの部分圧力の重力荷重を負担するようにする。
【００２０】
前出の数種の油貯蔵容器４０、４０ａ、４０ｂはスタイル上いくらかの違いはあるが、水中における適切な油貯蔵方法、および主な装置の特徴は同じである。また、異なる油製品および油貯蔵の要求に基づき、水による油製品と基礎土壌との接触の隔離、または油貯蔵容器と油製品の重力荷重の負担、そして水の利用により油貯蔵容器の側圧力の動態バランスを図ることを可能とする、所期の目的に到達した。
【００２１】
上記で公開した図式、説明は本発明のより好ましい実施例として為すのみであり、およそ本項目を熟知した技術者が、本発明案の精神的範疇に基づき所作を施した修飾、または変更は本出願の特許請求の範囲内に含まれなければならない。
【図面の簡単な説明】
【００２２】
【図１】本発明の一実施例による油貯蔵方法を示すブロック図である。
【図２Ａ】本発明の一実施例による油貯蔵装置を示す断面図であって、油製品の注入時の動態バランスを示す断面図である。
【図２Ｂ】本発明の一実施例による油貯蔵装置を示す断面図であって、油製品の注入時の動態バランスを示す断面図である。
【図２Ｃ】本発明の一実施例による油貯蔵装置を示す断面図であって、油製品の注入時の動態バランスを示す断面図である。
【図２Ｄ】本発明の一実施例による油貯蔵装置を示す断面図であって、油製品の抽出時の動態バランスを示す断面図である。
【図２Ｅ】本発明の一実施例による油貯蔵装置を示す断面図であって、油製品の抽出時の動態バランスを示す断面図である。
【図２Ｆ】本発明の一実施例による油貯蔵装置を示す断面図であって、油製品の抽出時の動態バランスを示す断面図である。
【図３Ａ】本発明のもう１つの実施例による油貯蔵装置を示す模式図であって、油製品の注入時の動態バランスを示す模式図である。(D)〜(F)は該油製品の抽出時の動態バランスを示す説明図である。
【図３Ｂ】本発明のもう１つの実施例による油貯蔵装置を示す模式図であって、油製品の注入時の動態バランスを示す模式図である。
【図３Ｃ】本発明のもう１つの実施例による油貯蔵装置を示す模式図であって、油製品の注入時の動態バランスを示す模式図である。
【図３Ｄ】本発明のもう１つの実施例による油貯蔵装置を示す模式図であって、油製品の抽出時の動態バランスを示す模式図である。
【図３Ｅ】本発明のもう１つの実施例による油貯蔵装置を示す模式図であって、油製品の抽出時の動態バランスを示す模式図である。
【図３Ｆ】本発明のもう１つの実施例による油貯蔵装置を示す模式図であって、油製品の抽出時の動態バランスを示す模式図である。
【図４】本発明のさらにもう１つの実施例による油貯蔵装置を示す模式図である。
【符号の説明】
【００２３】
１０  基礎土壌、２０  壁面、２１  カバー部、３０  貯水池、３１  底部壁、４０、４０ａ、４０ｂ  油貯蔵容器、４１  油製品入／出口、４１ａ  送入管、４１ｂ  送出管、４１ｃ  通気管、４２  流通口、４３  ベース枠、４３’  ベースユニット、４４  集水タンク、４５  検知器、５０  予備貯水タンク、５１  連通管、５２  自動給水装置、Ｏ  油製品、ｗ  水
【図１】
2007076725.tif 000003
【図２Ａ】
2007076725.tif 000004
【図２Ｂ】
2007076725.tif 000005
【図２Ｃ】
2007076725.tif 000006
【図２Ｄ】
2007076725.tif 000007
【図２Ｅ】
2007076725.tif 000008
【図２Ｆ】
2007076725.tif 000009
【図３Ａ】
2007076725.tif 000010
【図３Ｂ】
2007076725.tif 000011
【図３Ｃ】
2007076725.tif 000012
【図３Ｄ】
2007076725.tif 000013
【図３Ｅ】
2007076725.tif 000014
【図３Ｆ】
2007076725.tif 000015
【図４】
2007076725.tif 000016